(57)【要約】【課題】広角で面白みのあるカメラ用パノラマレンズ組立体を提供する。【解決手段】光軸方向に直交する各断面の外形が円形に形成された。レンズであって前記光軸方向の一端部に深さ方向に狭窄し中心軸の延在方向が前記光軸方向と合致する円錐状穴が形成されこの穴の底部を１ｍｍ前後の半円形球体レンズの構造、次に前記円錐状穴の開口の外側部は環状凸状面を構成し前記光軸方向の他端部は円形凸状面を構成前記環状凸状面側の正面斜め外方からの光が前記環状凸状面に入射前記円錐状穴の周壁で反射され前記円形凸状面から出射される構成の円錐状パノラマレンズ、次に凸凹レンズと円錐状パノラマレンズを組立て円錐穴の底部のレンズに透映して点のない円形映像の構造です。【選択図】図４
2013167859.tif 000002
【特許請求の範囲】
【請求項１】
発明は光軸方向に直交する各断面の外形が円形に形成された。レンズであって前記光軸方向の一端部に、深さ方向に狭窄し中心軸の延在方向が前記光軸方向と合致する円錐状穴が形成され、この穴の底部を１ｍｍ前後の半円形球体レンズ状に形成された構造です。次に前記円錐状穴の開口の外側部は環状凸状面を構成し、前記光軸方向の他端部は円形凸状面を構成し前記環状凸状面側の正面斜め外方からの光が前記環状凸状面に入射したとした場合に、前記円錐状穴の周壁で反射されて前記円形凸状面から出射されるように、構成された、円錐状パノラマレンズです。次に凸凹単レンズ数枚を組立て前記円錐状パノラマレンズ。に組立てた構造に致しカメラ撮影をする。
円錐状パノラマレンズの円錐状穴の底部のレンズに透映され全体像が拡大像になり中心に透明なシヤボン玉球体像が点のない円形映像となり目に映る構造。また円錐状パノラマレンズは、環状凸状面と円形凸状面からなる、円錐状パノラマレンズのボール球体の構造であります。また前記円錐状穴底部の１ｍｍ前後の半円球状体のレンズの構造。
カメラ用パノラマレンズ組立体はこれで終ります。
【発明の詳細な説明】
【技術分野】
【０００１】本発明はカメラ用パノラマレンズ組立体に関するものであります。
【背景技術】
【０００２】従来被写体までの距離が取れない状況で広い範囲を撮影したいときに、パノラマレンズが使用されている。
このパノラマレンズは光軸方向に直交する各断の外形が円形に形成された、レンズであって前記光軸方向の一端部に深さ方向に狭窄し中心軸の延在方向が前記光軸方向と合致する
円錐状穴が形成され前記円錐状穴の開口の外側部分は環状凸状面を構成し前記光軸方向の他端部は円形凸状面を構成し前記環状凸状面側の正面斜め外方からの光が前記環状凸状面に入射したとした場合に前記円錐状穴の周壁で反射されて前記円形凸状面から出射されるように構成されている。円錐状パノラマレンズです。このレンズ使用でカメラ撮影した場合、映像が全体的に円形写真であり写真の中心が点になる。
【先行技術文献】
【特許文献】
【０００３】
【特許文献１】特開２００９−２８８５２１号  公報
【発明の概要】
【発明が解決しようとする課題】
【０００４】従来のパノラマレンズをカメラなどに使用する場合被写体の形を可能な限り忠実に再現することに主眼がおかれていた。しかしながら例えば監被カメラなどにおいては、被写体の形を忠実に写さなくても広い範囲さえ撮影できれば足りることも多い。
また風景などを撮影する場合にも被写体の形を素材に今までに想像もしない面白みのある写真としたいことも多々ある。ただ従来のパノラマレンズを使用した写真は中心に点が見られる。
前記映像が点のない映像として。映像が望まれる。【０００５】本発明はかかる問題を解決するために、カメラ用パノラマレンズ組立体を提供する。これにより映像の中心が点にならない使用の仕方で面白みのある芸術写真が様様な可能性のある効果を提供することを目的とするカメラ用パノラマレンズ組立体です。
【課題を解決するための手段】
【０００６】請求項１の発明は光軸方向に直交する。各断面の外形が円形に形成されたレンズであって前記光軸方向の一端部に深さ方向に狭窄し中心軸の延在方向が前記光軸方向と合致する円錐状穴が形成され、この穴の底部を１ｍｍ前後の半円形球体レンズ状に形成された。構造にする。
次に前記円錐状穴の開口の外側部は環状凸状面を構成し、前記光軸方向の他端部は円形凸状面を構成し前記環状凸状面側の正面斜め外方からの光が前記環状凸状面に入射したとした場合に前記円錐状穴の周壁で反射されて、前記円形凸状面から出射されるように構成されている。円錐状パノラマレンズ。
次に凸凹単レンズ数枚を組立てる。前記パノラマレンズと組立てた構造に致しカメラ撮影をする。円錐状パノラマレンズの円錐状穴の底部のレンズに透映。全体像が拡大像になり中心に透明なシヤボン玉球体像が。点のない円形映像となり目に映る構造にあります。また、円錐状パノラマレンズは、環状凸状面と円形凸状面からなる。円錐状パノラマレンズでボール状球体の構造であります。また。前記円錐状穴底部の１ｍｍ前後の半円球状レンズ状レンズの構造にあります。
【発明の効果】
【０００７】請求項１の発明はカメラ用パノラマレンズ組立体をカメラ撮影をした結果、全体的映像が拡大になり鮮明で中心に点のない奥行感のある写真が可能になった。また大きな物体を至近距離で撮影すると面白みのある芸術写真が可能になった。
【図面の簡単な説明】
【０００８】
【図１】円錐状パノラマレンズの斜視図
【図２】円錐状パノラマレンズの断面図
【図３】円錐状パノラマレンズの光路を示す図
【図４】本発明のカメラ用パノラマレンズ組立体の断面図
【図５】写真コピー
【発明を実施するための形態】
【０００９】［図１］に円錐状パノラマレンズの斜視図。［図２］には円錐状パノラマレンズの断面図。［図３］には円錐状パノラマレンズの光路が示されている。これらの図において符号９は円錐状パノラマレンズを指示し、この円錐状パノラマレンズ９は特に限定されないが、プラスチツクで形成され光軸方向７に直交する各断面の外形が円形に形成されている。
円錐状パノラマレンズ９の光軸方向７の中央は一定の径を持つ円柱状部分１３となっている。
なお円柱状部分１３の外周には円錐状パノラマレンズ９をカメラフード等に取り付けるためのフランヂ１０が形成されている。
また円錐状パノラマレンズ９の光軸方向７の一端側には、深さ方向に穴径が小さくなるように狭窄する円錐状穴８が形成されている。また円錐状パノラマレンズ９の円錐状穴８の外側部分は当該円錐状穴８を取り巻く形の環状凸状面６となっている。すなわち円錐状穴８の開口緑と円柱状部分１３との間の各部分は環状凸状面６を構成している。また円錐状パノラマレンズ９の光軸方向７の他端側は円形凸状面１２となっている。
そしてこの円錐状パノラマレンズ９では環状凸状面６の正面斜め外方から及び光軸方向７に直交する方向からの光が環状凸状面６に入射した場合円錐状穴８の周壁で反射されて円形凸状面１２から出射されるように、なっている。また円錐状穴８の円錐状穴底部半円形球体レンズ１１が１ｍｍ前後のレンズ構造になっている。［図３］は光路で示されている［図３］の２７の光像は［図２］の円錐状穴８の周壁の反射で円錐状穴８の底部１１の１ｍｍ前後の半円球体レンズ状を光像が透映して［図３］の光路１１１となって目に映る構造にあります。なお［図４］で示される凸凹単レンズを組立てて、カメラ撮影をすると映像が拡大されて中心に透明なシヤボン玉球体像となり点のない円形映像が目に映る構造にあります。
【００１０】次に環状凸状面６を対物側とした場合［図２］［図３］の環状凸状面６を対物側とした場合における円錐状パノラマレンズ９の光路が示されている。同図には２７〜３３が示されている。図面上では、これらの物体は人形であり、円錐状パノラマレンズ９に足を向けて寝ているような形で示されている。しかしこれは描画上での便宜のためであって実際には物体２７〜３３は足を地に着けた形で立っており光軸が水平となるように、円錐状パノラマレンズ９が保持されている。また同図には、円形凸状面１２側の光軸上で目で観察した場合の光像１１１〜１１７が示されている。この中で光像１１１〜１１７は円錐状パノラマレンズ９に頭を向けて寝ているような形で図示されている。しかしこれも描画での便宜のためである。実際には光像１１１〜１１７は正立像となる。
まず正面に位置する物体２７〜３３の光像は環状凸状面６に入射する成分は円錐状穴８の周壁の外側で反射され円形凸状面１２から出射する。そして光像１１１。〜１１７。の正立像となる。また２７の光像は円錐状穴８の円錐状穴底部半円球体レンズ状１１を反射透映した。光像であり円形凸状面１１１光像となって目に届く。
また撮影の場合円錐状穴８の周壁を黒い布を使用すれば目障り感が軽減される。
次に物体２７の両横に位置する物体２８  ２９から光像が環状凸状面６に入射する成分は円錐状穴８の周壁によって反射され円形凸状面１２に出射される。そして光像１１２  １１３になって目に届く。
この場合、光像１１２  １１３は光軸の近くに形成される。さらに物体３０  ３１からの光像で環状凸状面６に入射する成分は円錐状穴８の周壁によって反射されて円形凸状面１２から出射される。
そして光像１１４  １１５となって目に届く。この場合の光像１１４  １１５は光像１１２  １１３よりも光軸から離間した位置に形成される。また物体３２。３３。からの光像は環状凸状面６に入射する成分は円錐状穴８の周壁によって反射されて円形凸状面１２から出射される。そして光像１１６  １１７となって目に届く。この場合の光像１１６。１１７。は光像１１４  １１５よりも光軸から離間した位置に形成される。
またこの場合光像は光軸から離間するにつれて大きくなる。したがって通常の平凸レンズを使用する場合において奥行感が出ることになる。
【００１１】次に本発明のカメラ用パノラマレンズ組立体に関して実施の形態を段階的に説明する。
【００１２】円錐状パノラマレンズ９を鮮明で面白みのある円形的写真の映像を可能にするために、凸凹単レンズの構造が望ましい。
【００１３】次に［図４］の本発明のカメラ用パノラマレンズ組立体の断面図にもとづいて各レンズとカメラの配列順序で説明します。
始めにカメラ１７に鏡筒１４をネジ込み１５で固定します
次にカメラ１７の次に両面凸レンズ１９を第１リング１８で固定された鏡筒１４に固定します  次に平凹レンズ２１を第２リング２０で固定されて鏡筒１４にネジ込み１５で両面凸レンズ１９の次に固定します  次に凸メニスカスレンズ２３を第３リング２２で固定されて平凹レンズ２１の次に鏡筒１４にネジ込み１５で固定します、次に平凹レンズ２５を第４リング２４で固定されて鏡筒１４に凸メニスカスレンズ２３の次に固定します  次に円錐状パノラマレンズ９を第５リング２６で固定されて鏡筒１４に平凹レンズ２５の次に固定します  そして第６リング２７でネジ込み１６で固定します
以上で撮影が可能になりました。最後に第６リング２７に固定ボルト１６で固定します。
【００１４】次に［図４］の本発明のカメラ用パノラマレンズ組立体の断面図にもとづいて各レンズの撮影による円形映像の中心点消滅に関して詳細な説明を致します、先づ始めにカメラ１７に鏡筒１４をネジ込み１５で固定します、そして鏡筒１４の端の部分［図４］の通りにカメラ１７と円錐状パノラマレンズ９を固定します、カメラ１７と円錐状パノラマレンズ９だけの撮影を行った場合の映像は画面も小さく円形映像は鮮明ではなく中心にぼけた球体が目に映る、これは円錐状パノラマレンズ９の円錐状穴８の円錐状穴底部半円形球体レンズ１１の映像であります、次に［図４］のカメラ用パノラマレンズ組立体の断面図に示された通りにカメラ１７に鏡筒１４をネジ込み１５で固定する次にカメラ１７の次に両面凸レンズ１９を第１リング１８で固定して鏡筒１４にネジ込み１５で固定する［図４］の断面図に示された通りに円錐状パノラマレンズ９を第５リング２６で固定され鏡筒１４にネジ込み１５に固定するカメラ１７で撮影する映像は大きく全体像もぼやけて中心は目に映るがシヤボン玉球体がぼやけて目に映る、次に［図４］本発明のカメラ用パノラマレンズ組立体の断面図に示された通りに次に平凹レンズ２１を第２リング２０で固定する鏡筒１４に両面凸レンズ１９の次に固定する  そして円錐状パノラマレンズ９を［図４］に示された通りに固定してカメラ１７で撮影をする  その映像は円形映像で画面は小さいが鮮明で中心が透明なシヤボン玉球体が目に映る
次に凸メニスカスレンズ２３を第３リング２２で固定する
鏡筒１４に平凹レンズ２１の次に固定する  そして円錐状パノラマレンズ９を鏡筒１４に固定してカメラ１７で撮影をする全体的に映像は大きくて円形像はぼやけて中心は透明なシヤボン玉球体がぼやけで目に映る  次に平凹レンズ２５を第４リング２４で固定
鏡筒１４に凸メニスカスレンズ２３の次に固定する
鏡筒１４に円錐状パノラマレンズ９を第５リング２６で固定する  そしてカメラ１７で撮影をする
全体像が鮮明になり中心はシヤボン玉球体が透明で１ｍｍ前後の映像で目に映るカメラの角度や仕様で中心映像が消えて目に映らない  それから物体や建造物や自然な景色樹木等に中心映像が透明なシヤボン玉球体映像なので周囲の自然な景色物体等々に一致現象で中心点が消えて、映るものと考えます、また今後はガラスレンズによる鮮明な映像も望まれます。
これで終ります。
図５は写真のコピーです。中心に薄く球体が目に映ります。
【産業上の利用可能性】
【００１５】カメラ用パノラマレンズ組立体を撮影をした場合広角で円形的な写真で景色が遠近間のある風景で目に映る  また至近距離で大きな物体を撮影すると面白みのある写真が見られる、またカメラ仕用で様様な芸術的写真が楽しめる。
【符号の説明】
【００１６】  ６    環状凸状面
７    光軸方向
８    円錐状穴
９    円錐状パノラマレンズ
１０    フランヂ
１１    円錐状穴底部半円形球体レンズ
１２    円形凸状面
１３    円柱状部分
１４    鏡筒
１５    ネジ込み
１６    固定ボルト
１７    カメラ
１８    第１リング
１９    両面凸レンズ
２０    第２リング
２１    平凹レンズ
２２    第３リング
２３    凸メニスカスレンズ
２４    第４リング
２５    平凹レンズ
２６    第５リング
２７    第６リング
【図１】
2013167859.tif 000003
【図２】
2013167859.tif 000004
【図３】
2013167859.tif 000005
【図４】
2013167859.tif 000006
【図５】
2013167859.tif 000007